(57)【特許請求の範囲】
【請求項１】
帽状のヘルメット本体に対して庇状の前鍔を着脱自在に装着するヘルメットにおいて、ヘルメット本体の前端面中央部に横長の係合孔を形成し、前鍔の中央部後端部に前記係合孔に係合する横長の突起を設けるとともに、前鍔の左右両側に後方に向けて縦板状で、ヘルメット本体の表面に当接する曲面形状の当接板を形成し、該当接板の後端部に縦板状で扁平な係止爪を突出させ、該係止爪をヘルメット本体に穿設した係合孔に前方から挿入して係合孔内に形成した係合段部に係合させることによって前方への抜け止め手段を形成することを特徴とするヘルメット。
【請求項２】
ヘルメット本体の後部及び側部に幅の狭い鍔を形成するとともに、着脱する前鍔の後端部を前記ヘルメット本体の鍔に連続する幅に形成し、前鍔の後端部に平面的な舌片を突出させる一方、前記ヘルメット本体の鍔に前鍔の舌片が嵌合する凹所を形成したことを特徴とする請求項１記載のヘルメット。
【発明の詳細な説明】
【技術分野】
【０００１】
この発明は、主として工場や工事現場において安全のために着用されるヘルメットに関する発明である。
【背景技術】
【０００２】
工場や工事現場において着用される従来のヘルメットは、外周の鍔を含めてヘルメット本体が一体に形成されている。
オートバイ用のヘルメットには、特許文献１や２に開示されるようにバイザーを着脱できるようにしたものが提案されているが、工事現場などで使用するヘルメットには、前鍔を着脱可能とするものはなかった。
【０００３】
特許文献１には、ホックによってバイザーを着脱するものであって、ホック部分の凹入部を覆うキャップを取り付ける思想が開示されている。特許文献２には、バイザーの差し込みベロ部をヘルメット本体の縦溝に嵌合させることによって、ヘルメット本体に対してバイザーを着脱自在とする思想が開示されている。
【特許文献１】特開昭５８―１５６００５号公報
【特許文献２】特開平０６―１１６８０４号公報
【発明の開示】
【発明が解決しようとする課題】
【０００４】
工場などで、安全のために着用するヘルメットにおいては、主要な防御機能を帽状のヘルメット本体が担い、飛散物からの防御や光線を避けるために庇状の前鍔が形成されている。ところが、作業内容、例えば作業物に顔を近づける場合や、狭い場所での作業に際して、従来のヘルメットでは、前鍔が邪魔になることが少なくない。
このような実情に鑑み、本発明は、前鍔を簡単に着脱することができるとともに、装着した前鍔がガタ付いて作業の支障になるようなことがないように、安定して装着することができるヘルメットを実現することを目的とするものである。
【０００５】
なお、従来のオートバイ用のヘルメットにおける、バイザーの着脱構造では、必ずしも簡単に着脱することができないとともに、装着したバイザーが安定するものではなく、この構造を安全用のヘルメットに応用しても、上記目的を達成することはできない。
【課題を解決するための手段】
【０００６】
上記目的を達成するため、請求項１記載の本発明ヘルメットは、帽状のヘルメット本体１と、庇状の前鍔２を着脱自在に装着するに際し、その係止位置を少なくともヘルメット本体１の前端面中央部と左右両側の三箇所において係合させる。
すなわち、ヘルメット本体１の前端面中央部に横長の係合孔３を形成し、前鍔２の中央部後端部に係合孔３に係合する横長の突起４を設ける。さらに、前鍔２の左右両側に後方に向けて縦板状で、ヘルメット本体１の表面に当接する曲面形状の当接板８を形成する。そして、当接板８の後端部に縦板状で扁平な係止爪５を突出させ、この係止爪５をヘルメット本体１に穿設した係合孔６に前方から挿入し、係合孔６内に形成した係合段部７に係合させることにより、前鍔２の前方への抜け止め手段を形成する。
【０００７】
請求項２記載の発明は、ヘルメット本体１の後部及び側部に幅の狭い鍔９を形成するとともに、着脱する前鍔２の後端部を前記ヘルメット本体１の鍔９に連続する幅に形成する。そして、前鍔２の後端部に平面的な舌片10を突出させる一方、ヘルメット本体１の鍔９に前鍔２の舌片10が嵌合する凹所11を形成するものである。
【発明の効果】
【０００８】
請求項１記載の本発明に係るヘルメットによれば、作業中に前鍔が邪魔になるような場合に、前鍔２を前方に引っ張ることによって自由に取り外して、前鍔のない状態で使用することができる。このとき、ヘルメット本体１と前鍔２は、ヘルメット本体の前端面中央部の係止手段と左右両側の係止手段の、少なくとも三箇所で係止される。前端面中央部における係止手段は、前鍔２が上下及び左右方向に遊動するのを阻止する。また、左右両側の係止手段は、係止爪５によって、鍔２の前方への抜け出しを防止する。したがって、ヘルメット本体に装着した前鍔２は遊動することなく安定良く装着される。
【０００９】
なお、ヘルメット本体１の前端部における前鍔２との係合手段が、横長の係合孔３と横長の突起４の係合であることから、この部分における上下及び左右の遊動を確実に阻止することができる。また、ヘルメット本体１の左右両側における係止手段が、偏平な係止爪５と、偏平な係止爪５が挿入される係合孔６の内奥での、係止爪５と係合段部７との係合であるため、前後方向の抜け出しだけでなく上下方向の遊動をも効果的に防止することができる。また、前鍔の左右両側に後方に向けて、ヘルメット本体１の表面に当接する当接板８を設けているため、前鍔２がガタ付くようなことがなく安定する。
【００１０】
請求項２記載の発明によれば、ヘルメット本体１の後部及び側部に幅の狭い鍔９を設け、該鍔に形成した凹所11と、前鍔２の後端部に突出させた平面的な舌片10を嵌合させることにより、前鍔２の捩じれ方向の変形などを防止し、より一体感のある状態に前鍔２をヘルメット本体１に装着することができる効果がある。
【発明を実施するための最良の形態】
【００１１】
添付図面は、本発明に係るヘルメットの実施形態を示すものである。以下、本発明の実施形態を添付の図面に基づいて説明する。
図１はヘルメット全体の正面図、図２は図１のII―II線拡大断面図、図３は図１のIII―III線拡大断面図である。
【００１２】
本発明に係るヘルメットは、ヘルメット本体１と前鍔２とで構成し、ヘルメット本体１に対して前鍔２を着脱自在とする。前鍔２は、図４、図５に示すように、前方からヘルメット本体１に装着し、少なくともヘルメット本体１の正面である前端部と、左右両側面の三箇所で係止する。すなわち、前鍔２の左右両側に備えた係止爪５，５をヘルメット本体１に係合させて前方への抜け止めとするとともに、ヘルメット本体１の前端部において前鍔２を係合させることによって、前鍔２の中央部を支える。
【００１３】
ヘルメット本体１の前端部における前鍔２との係合構造として、図４、図５に示すように、前鍔２に一定幅Ｗの突起４を形成するとともに、ヘルメット本体１の前端部に、前記前鍔２に形成した一定幅Ｗの突起４が嵌まり込む、溝の如き係合孔３を設けておく。  これにより、図１に部分拡大断面で示すように、前鍔２に形成した突起４が、ヘルメット本体１の係合孔３に係合して上下方向の遊動が阻止される。このとき、突起４の幅Ｗと、係合孔の幅W’ をほぼ等しいものとすることによって、左右方向の遊動を阻止することができる。このような構成とすることによって、ヘルメット本体１と前鍔２の係合が、点ではなく幅Ｗの範囲で線状に係合するため、前鍔２は左右に傾く可能性がなく安定よく支持される。
【００１４】
前鍔２の左右両端部には係止爪５を、後方に向けて突出させている。一方、ヘルメット本体１の左右両側には、前方に向けて開口し、前鍔２の係止爪５が前方から挿入される、断面形状が縦長の係合孔６を設けている。係合孔６は、機能的には前方に向けて開口していることが必要で、盲孔であってもよいが、内奥に係合段部７を成型するための抜き型の関係から、係合孔６は前方及び下方に向けて開口させ、下方からの抜き型によって、係合孔６の前方開口端から見て内奥の側面(係合孔内の外側の側面)に、小さな段差の係合段部７を形成している。
【００１５】
前鍔２の左右両端に、後方に向けて突出させる係止爪５は、例えば10〜20ミリメートルといった幅を有する縦方向の板状とし、先端部の外側面に係合部を形成している。これにより、前鍔２の係止爪５をヘルメット本体１の係合孔６に挿入し、係止爪５を係止孔６の係合段部７に安定よく係合させることができる。
【００１６】
係止爪５は、例えば10〜20ミリメートルといった幅を有する板状とすることによって係合孔６内において面接触をするため、ある程度安定が良いものであるが、本発明においては、前鍔２の左右側面から後方に向けて、略三角形の縦板状の当接板８を一体に成型し、当接板８の後端部に係止爪５を突出させている。この当接板８は図３に示すように、前鍔２をヘルメット本体１に装着したときに、ヘルメット本体１の表面に当接(なるべく面接触)する曲面形状に形成している。このように、前鍔２に一体成型した当接板８の存在によって、ヘルメット本体１に装着した前鍔２はより一層安定する。
【００１７】
ヘルメット本体１の前鍔２以外の背面及び側面には、連続する比較的幅の狭い鍔９を形成している。そして、前鍔２の後端部分の幅を鍔９の幅と一致させておくことによって、前鍔２を装着したときに、ヘルメット本体１の全周にわたって連続的な鍔が形成されるようにしている。その際、前鍔２に後方に向けて舌片10を突出させるとともに、ヘルメット本体１の鍔９前端部分に、舌片10が嵌まり込む凹所11を形成しておく。これにより、図２や図８に示すように、前鍔２を装着したときに、鍔の継ぎ目部分に段差を生じるようなことがなく、連続する鍔として一体感のある状態に装着することができる。
【００１８】
ヘルメット本体１の側面における前鍔２の装着状態を図６及び図７に示している。すなわち、図６の(ａ)及び図７の(ａ)に示すヘルメット本体１の係合孔６に、図６の(ｂ)及び図７の(ｂ)に示す前鍔２の係止爪５を挿入して装着すると、図６の(ｃ)及び図７の(ｃ)に示すように、係止爪５が係合孔６の係合段部７に係合して抜け出しを防止する。
【００１９】
このとき、それぞれ合成樹脂材で成型されるヘルメット本体１と前鍔２の寸法関係について、前鍔２の左右両側の間隔を、ヘルメット本体１の左右の係合部間隔よりも幾分広くなるように成型しておき、前鍔２の左右両側の間隔を縮めながら装着するようにしておくのが好ましい。このようにすれば、前鍔２自体の弾性力によって係止爪５と係合段部７との係合状態を効果的に維持することができる。
【００２０】
係止爪５と係合段部７の係合力が大き過ぎる場合は、装着した前鍔２の取り外しが出来なくなってしまう。そのため、本発明を実施する上においては、過大な係合状態とならないように、係合段部７の高さを、例えば0.5mm程度の低い状態で実施し、前鍔２を強く引っ張ることによって取り外しができるようにする。その際、通常合成樹脂材で成型されるヘルメット本体１を、手で圧迫して多少歪ませながら前方に引っ張るようにすることで、前鍔２の取り外しを容易に行うことができる。
【００２１】
以上、本発明に係るヘルメットの、ヘルメット本体１と前鍔２の関係について説明したが、安全用ヘルメットは、通常その内部に緩衝構造であるハンモックを装着して使用される。本発明に係るヘルメットにおいても、使用に際しては公知のハンモックを装着して使用する。
【図面の簡単な説明】
【００２２】
【図１】図１は、本発明ヘルメット全体の正面図、
【図２】図２は、図１のII―II線拡大断面図、
【図３】図３は、図１のIII―III線拡大断面図、
【図４】図４は、ヘルメット本体と前鍔を分離させた状態の平面図、
【図５】図５は、ヘルメット本体と前鍔を分離させた状態の平面図、
【図６】図６は、ヘルメット本体と前鍔の係合部分のみの拡大底面図、
【図７】図７は、ヘルメット本体と前鍔の係合部分のみの拡大平面図、
【図８】図８は、図７のVII―VII線断面図。
【符号の説明】
【００２３】
１…ヘルメット本体、  ２…前鍔、  ３…係合孔、  ４…突起、  ５…係止爪、  ６…係合孔、  ７…係合段部、  ８…当接板、  ９…鍔、  10…舌片、  11…凹所。
【図１】
0004753646.tif 000002
【図２】
0004753646.tif 000003
【図３】
0004753646.tif 000004
【図４】
0004753646.tif 000005
【図５】
0004753646.tif 000006
【図６】
0004753646.tif 000007
【図７】
0004753646.tif 000008
【図８】
0004753646.tif 000009